(57)【要約】【課題】使用時の捻れ、撓みを防止し、加えてゴムの持つフィーリングも損なわずに、使用者の質を選ばないコード入りゴルフクラブ用グリップを提供する。【解決手段】コード（１）の組織構造をからめ織り（図２）にし、更にコード（１）〜コード（１）間を従来のものより広くして、グリップ表面に表れるゴム部の面積を大きくする。【選択図】　図２
2004041630.tif 000002
【特許請求の範囲】
【請求項１】
ゴム材（４）の表面にコード布（１）が配置されて成形された管状の成形物であって、当該コード布（１）の組織がからみ組織（図２）であって、コード布（１）を構成する経糸（２）と緯糸（３）の打ち込み密度がインチ間１２本以下であることを特徴とするゴルフクラブ用グリップ。
【請求項２】
ゴム材（４）の表面にコード布（１）が配置されて成形された管状の成形物であって、コード布（１）が、経糸（２）とグリップの長手方向中心線（５）とが２０度以上７０度以下の角度で交差するよう斜めに配置されていることを特徴とするゴルフクラブ用グリップ。
【請求項３】
ゴム材（４）の表面にコード布（１）が配置されて成形された管状の成形物であって、当該コード布（１）の組織がからみ組織（図２）であって、コード布（１）を構成する経糸（２）と緯糸（３）の打ち込み密度がインチ間１２本以下であることを第１の特徴とし、コード布（１）が、経糸（２）とグリップの長手方向中心線（５）とが２０度以上７０度以下の角度で交差するよう斜めに配置されていることを第２の特徴とするゴルフクラブ用グリップ。
【発明の詳細な説明】
【０００１】
【発明の属する技術分野】
この発明は、コード入りゴルフクラブ用グリップに関するものである。
【０００２】
【従来の技術】
従来、ゴルフ用グリップにおいてゴム材の表面にコード布を配したいわゆる「コード入りグリップ」が使用されている。コード布を使用する利点としては、ゴルフグリップはゴルフクラブとゴルファーとの唯一の接点であり、ストローク時には大きな力が作用する部位であって、使用（把握、打球）する際に発生する力は弾性体であるゴム材に捻れや撓み等の変形を生じさせるが、コード布が存在することによってゴムの変形が抑制され、変形を要因とする打球方向のばらつき、把握の不安定性を解消することにある。
【０００３】
一方、コード入りゴルフクラブ用グリップにおいて使用されるコード布の組織は平織り（図１）であった。平織りの構造的特徴としては、経糸と緯糸が互い違いに交差しているだけの単純な織り方であって、そのため、糸と糸が交差する部分（目という）に殆ど強度がなく、「目ずれ」「目よれ」を起こしやすい。
【０００４】
コード入りゴルフクラブ用グリップにおいて使用されるコード布のもう一つの組織的特徴としては、経糸が太く緯糸が細い「すだれ状」である点がある。その理由としては、ゴルフグリップがシャフトに挿入される際、ゴルフグリップは部位によって差違はあるものの円周方向に拡径されるものであり、一方、コード布の材料はコットンであることが一般的であり、コットンには伸長性がないので、太い緯糸を使用すると挿入作業に支障をきたすことになる。従って、緯糸はグリップ挿入時の抵抗を僅少にし、或いは、拡径にともなって糸が破断することを意図して細いものが用いられている。この為、ゴム材を補強して変形を抑制する効果は、専ら経糸によってもたらされている。
【０００５】
【発明が解決しようとする課題】
前述の如く、ゴム材にコード布を使用することにより、ストローク時に加えられる力がゴム材を変形させることを抑制する補強効果を生じるが、反面、コードが表面に露出することで必然的にグリップ表面のゴム部の面積は減少することとなり、ゴム材が有するソフトな把持感触は失われてしまう。
【０００６】
また、０００５で述べたようにゴム部の面積が少なくなるため、ゴムのみのグリップと比較して摩擦抵抗力が減少してしまう。このため、把握時に滑りやすくなってしまうので、コードグリップを使用する時にはゴムのみのグリップと比較して大きな力で握る必要があるとされる。
【０００７】
このため、コードグリップは現状では力のある人（パワーヒッター）向きであるといった認識がほぼ一般的であり、女性やシニアクラス等の比較的握力が弱いと思われる層の人にはなかなか使用されづらいといった一面があった。
【０００８】
しかしながら、どのようなタイプのゴルファーにとっても、前述したようなコードグリップを使用することによって得られる効用は大変に魅力的であるから、０００５、０００６で述べた問題点を解決することによって、コードグリップは使えないと思っている非力なゴルファーたちでも容易に使用することの出来るコードグリップを提供することを可能とすることは極めて有益である。
【０００９】
また、上級者が使用する場合においても、コードグリップでありながら、ゴム材のソフトな感触と滑りずらさを併せ持つコードグリップを提供することを可能ならしめることは大きな技術的進歩である。
【００１０】
従って、本発明が解決せんとする最大の課題とは、コードグリップの特徴である変形にたいする抵抗力と把持安定性を十分に発揮しつつも、ゴムグリップの特徴であるソフトな把持感触と滑りずらさを併せ持つコードグリップを提供することを可能とすることにあるが、従来の技術においてその実現を阻害している個別の技術的要因には以下のものがある。
【００１１】
一つには、コード布の組織は平織りであるので、目に強度がなく、グリップの生産工程において「目よれ」「目ずれ」を生じやすい。実際には糸間隔を狭めて密度を上げることでそれらを防止しているが、その為に、コード布の本来機能としてのゴム変形抑制効果の点からは必要以上に糸が過密になっている。
【００１２】
もう一つには、前述の如くコード布はすだれ状であり、緯糸は単に組織がばらける事を防止するためだけにあり、本来機能であるゴム変形抑制には働いていない。
その為、コード布による補強効果は経糸だけに依存しており、バランスを欠き甚だ非効率的である。
【００１３】
【課題を解決する手段】
上述した個別の技術課題を解決して、コード布が必要十分な変形抑制効果を発揮しつつも、ゴムの表面積の減少は最小限とし、ゴム本来の性状を損なうことを可能な限り回避したゴルフクラブ用グリップを提供することが、コード布の組織とコード布の配置を改善することによって可能となることが見出された。
【００１４】
まず、コード布の組織に関する手段としては、コード布の組織を平織り（図１）ではなくからみ組織（図２）とする。からみ組織とは、同方向２本の糸が交差して１本の経糸を形成しながら緯糸を挟み込んでゆくことを特徴とする組織で、目に強度を持たせることができるので、糸の密度を粗にしても「目よれ」「目ずれ」を起こしずらく、主としてメッシュ構造を構成するために採用される。からみ組織は、経糸によって挟み込まれる緯糸の本数によって紗と絽に分類されるが、本発明においては、図２に示されるように一本ずつ緯糸を挟み込む紗が好適である。
【００１５】
からみ組織のコード布を構成する糸の密度としては、織布技術上の特段の制約はなく自由に粗密を選択することが可能であるが、本発明の趣旨からして従来の平織りコード布よりも粗とすることが目的にかない、より具体的には経糸、緯糸ともにインチ間１２本以下の範囲で任意に選択してもコード入りグリップの製造が可能である。これは、従来の平織りコード布の密度がインチ間１８本前後であったのに比較して、大幅な密度の緩和が可能となることを意味する。
【００１６】
次に、コード布の配置に関する手段としては、コード布の経糸とグリップの長手方向中心線とが２０度以上７０度以下の角度で交差するよう斜めに配置する。これは、コード布の緯糸とグリップの長手方向中心線とが７０度以下２０度以上の角度で交差することと同義である。
【００１７】
グリップをシャフトに挿入する際にグリップはその円周方向に拡径しなければならないので、コード布の緯糸がグリップの長手方向中心線と直交するように配置されていた従来方式のコード布の配置では、緯糸の存在がグリップの拡径を阻害することになるので自ずとその太さには制約があり、コットンＣ２０の１本撚り程度のものが使用されていたが、コード布を斜めに配置することによって糸の動きに自由度が生じ、糸の太さや引っ張り強さの制約は撤廃される。
【００１８】
コード布を斜め配置する時に使用する緯糸の太さとしては、従来品よりも太いものを任意に選択することができ、具体的には、コットンＣ２０の２本撚り品から６本撚り品の間が好適である。また、経糸の規格と同等のものを用いることが最も望ましい設計となる。
【００１９】
一方、使用する経糸の太さとしては、従来品よりも細くすることが可能であり望ましい。従来品においては、緯糸は本来機能であるゴムの変形抑制効果を発揮していなかったので、専ら経糸の一方向の働きに依存せざるを得なかったのに対し、コード布を斜めに配置する方法では、緯糸もゴムの変形抑制を担うこととなり二方向の作用となるので、細い経糸でも従来品以上の効力を発揮することが可能となる。
【００２０】
以上述べた二つの手段、即ちコード布の組織をからみ織りにする手段とコード布を斜めに配置する手段は、別個に行うことで課題の解決手段と成り得るが、二つの手段を併用することでさらに効果的な手段とすることができる。
【００２１】
即ち、コード布を斜めに配置する方法によって、従来は一方向だけで機能していたゴムの補強効果が二方向化するので、従来よりも糸の密度が粗であっても同等以上の効果を発揮することが可能となるが、からみ織りを用いれば糸の密度を粗にすることが可能となる。つまり、二つの手段を併用すれば、より細い糸をより低密度で組織したコード布を用いて従来品以上の補強効果を得ることが可能となるので、本発明の課題とするところの、コードグリップでありながらゴム材本来のソフトな把持感触と滑りづらさが損なわれない製品を提供することが可能となる。
【００２２】
【発明の実施の形態】
以下、本発明の実施の形態について説明する。但し、本発明の及ぶ範囲は記載された数値、規格、材質等のみに限定される趣旨ではなく、また、コード布の配置をグリップ表面の一部分に限定する、コード布のグリップ表面への露出を意図的に規制する等のゴルフグリップ製造上の一般技術を併用することも当然に本発明の適用範囲に含まれる。
【００２３】
【実施例１及び実施例２】
コットンＣ２０の３本撚り品を経糸、コットンＣ２０の１本撚り品を緯糸として、経糸密度はインチ６本と１２本、緯糸密度はともにインチ８本の２種のからみ織りコード布を作成した。
【００２４】
比較例として、コットンＣ２０の６本撚り品を経糸、コットンＣ２０の１本撚り品を緯糸として、経糸密度はインチ６本と１２本、緯糸密度はともにインチ８本の２種の平織りコード布を作成した。
【００２５】
現行品として、コットンＣ２０の６本撚り品を経糸、コットンＣ２０の１本撚り品を緯糸として、経糸はインチ１８本、緯糸はインチ８本の平織りスダレコード布を作成した。
【００２６】
００２３，００２４，００２５の内容の５種のコード布を用いて、従来通り経糸の配置する方向がグリップの長手方向と一致するようにグリップを成形して、次の通りの実施例、比較例、現行品を得た。尚、成形工程としては、従来最も一般的に行われている方法とした。
2004041630.tif 000003
【００２７】
上記の結果、比較例２においては、成形時の加圧によって生じるゴム材の流れによってコード布に目ズレが生じ、経糸が蛇行する、経糸の配置する間隔が不均等となる、等の外観不良を生じた。比較例１においては、こうした外観上の欠陥の程度が更に悪化した。
【００２８】
一方、実施例１、実施例２はいずれもコード布に目ズレが生じることがなく、経糸、緯糸ともに整然と配置した優れた外観のグリップを得ることができた。更に、実施例１、実施例２及び現行品をゴルフクラブに装着して実際に打球を試みたところ、実施例１，２はともに現行品よりも顕著にソフトな把持感を有し、また、明らかに滑りづらく、にもかかわらずストローク時のゴム材の変形が抑制されて安定した握りを得られることが確認された。
【００２９】
【実施例３及び実施例４】
経糸、緯糸ともにコットンＣ２０の４本撚り品を用い、経糸、緯糸密度がインチ１８本と１２本の２種の平織りコード布を作成し、このコード布を用いて、経糸の配置方向がグリップ長手方向が一致する配置方法と４５度の角度で斜めに配置する方法の２通りの配置方法でグリップを成形し次の通りの実施例を得た。
2004041630.tif 000004
【００３０】
上記の結果、実施例３及び比較例３においてはコード蛇行、不整列等の外観上の欠陥は発生しなかったが、実施例４及び比較例４においてはコード蛇行、不整列等の欠陥を呈した。また、これらを実際にゴルフクラブに装着したところ、比較例３、比較例４においては装着が不可能または著しく困難であり産業上の利用に適さないと判断されたのに対して、実施例３、実施例４においては装着に何ら支障はなく、むしろ００２６に記載の現行品よりも平易な作業であると確認された。更に、実施例３と実施例４のグリップを装着したゴルフクラブを用いて実際に打球を試みたところ、実施例３はストローク時のゴム材の変形が抑制されて安定した握りを得られるが把持感がやや硬く、実施例４は現行品よりも顕著にソフトな把持感を有し、また、明らかに滑りづらく、にもかかわらずストローク時のゴム材の変形が抑制されて安定した握りを得られることが確認された。
【００３１】
【実施例５，実施例６及び実施例７】
次に、００２９に記載の実施例３と同じ平織りコード布を用いて、コード布の経糸配置方向とグリップ長手方向が成す角度が各々１０度、２０度、３０度となるようにグリップを成形して、実施例５、実施例６、実施例７を得た。これをゴルフクラブに装着して装着作業の難易性を確認したところ、実施例５においては装着作業の困難が認められたが、実施例６，実施例７においては全く問題がないことが確認された。
【００３２】
【実施例８及び実施例９】
経糸にはコットンＣ２０の２本撚り品、緯糸にはＣ２０の４本撚り品を用い、経緯糸の密度を各々インチ１２本と６本に設定した２種のからみ織りコード布を作成し、経糸の方向とグリップ長手方向の成す角度が４５度となるようにコード布を配置してグリップを成形して以下の実施例８と実施例９を得た。
2004041630.tif 000005
【００３３】
上記の結果、実施例８に関しては、００２９に記載の実施例４に見られたコードの蛇行、不整列等の欠陥が著しく改善されており、実施例８よりも更に糸の密度が粗である実施例９においても同様の欠陥を惹起しなかった。また、強固な緯糸を用いているにもかかわらずゴルフクラブに装着する際に何ら作業上の支障もなく、むしろ現行品よりも平易な装着作業が可能であった。さらに、実打においては、両実施例においてコード布が十分な変形抑制効果を発揮して安定した握りを可能とする一方、ゴム材本来のソフトな把持感触と滑りづらさが何ら損なわれていない事が確認された。
【００３４】
【発明の効果】
コード布の組織を平組織からからみ組織に変更することにより目の強度が改善され、成形時の圧力に負けてコード布の配列が崩れてしまうことがなくなる。このため、糸の配置密度を格段に低密度化することが可能となり、その結果、ゴム部の面積を広くすることが出来る。これにより、ゴム材のソフトな把持感触と滑りづらさは損なうことなく、コード布がゴム材の変形を抑制して安定した握りが可能なゴルフクラブ用グリップの提供が可能になる。
【００３５】
また、コード布をグリップに斜めに配置させることによって、グリップの円周方向への拡径が可能となり、強度のある緯糸を使用することが可能となるので、緯糸にもゴム材の変形抑制効果を持たせることが可能となる。その結果、経糸の密度を低下させても十分な変形抑制効果が得られるようになるので、ゴム材のソフトな把持感触と滑りづらさは損なうことのないコードグリップを提供することが可能となる。
【００３６】
さらに、上記の二つの手段を併用することで最も大きな効果を得ることができる。
即ち、コード布を斜めに配置する方法によって、従来は経糸の一方向だけで機能していた補強効果が経緯の二方向化するので、糸が低密度あっても従来と同等以上の効果を発揮することができるが、からみ織りを用いれば外観上の支障をきたすことなく糸の密度を粗にすることが可能となる。よって、二つの手段を併用すれば、より細い糸をより低密度で組織したコード布を用いて従来品以上の補強効果を得ることが可能となるので、コードグリップでありながらゴム材本来のソフトな把持感触と滑りずらさを損なわれない製品を提供することが可能となる。
【００３７】
【図面の簡単な説明】
【図１】平織り組織の構造図
【図２】からみ織り組織の構造図
【図３】ゴルフグリップの概略外観図
【図４】コードグリップ（従来品）、部分拡大図
１はコード、２は経糸、３は緯糸、４はゴム材、５はグリップの長手方向中心線、
【図１】
2004041630.tif 000006
【図２】
2004041630.tif 000007
【図３】
2004041630.tif 000008
【図４】
2004041630.tif 000009